(57)【特許請求の範囲】
【請求項１】
第１側面に配置された溝を具備する第１コネクタと、
前記溝に挿入され、前記第１コネクタに接続される第２コネクタと、
前記第２コネクタに回転することができるように結合されるレバーと、含み、
前記レバーは、前記第２コネクタが前記第１コネクタに接続された後、外力によって前記第１コネクタ側に回転し、前記第１コネクタの前記溝に挿入された前記第２コネクタを固定するために前記第１コネクタに固定され、
前記第１コネクタは、前記レバーを固定するために前記レバーを収納するレバー固定部をさらに含み、
前記レバー固定部は、前記第１コネクタの前記第１側面に対向する第２側面と、前記第１側面に隣接する第３側面のうち、少なくとも一つの側面から突出する突出部を含み、
前記レバーは、
前記第２コネクタの第１側面において回転可能に接続された第１回転部と、
前記第２コネクタの前記第１側面に対向して配置される第２側面において回転可能に接続された第２回転部と、
前記第１回転部と前記第２回転部とを接続する接続バーとを含み、
前記接続バーは、前記第１回転部に接続された第１ガイド部と、前記第２回転部に接続された第２ガイド部と、前記第１ガイド部と第２ガイド部とを接続する中央部とを備え、前記第１ガイド部及び第２ガイド部は前記中央部に向かって曲がり、
前記接続バーが前記レバー固定部に収納されて固定されるとき、前記接続バーは前記第１コネクタの前記第２側面から離隔して配置されることを特徴とするコネクタアセンブリ。
【請求項２】
前記レバー固定部は、前記第２側面から突出する前記突出部を含むことを特徴とする請求項１に記載のコネクタアセンブリ。
【請求項３】
前記第１コネクタは、第１端子を含み、前記第２コネクタは、第２端子を含むことを特徴とする請求項１に記載のコネクタアセンブリ。
【請求項４】
前記レバーに接続された補助取っ手をさらに含むことを特徴とする請求項１に記載のコネクタアセンブリ。
【請求項５】
前記補助取っ手は、絶縁物質を含むことを特徴とする請求項４に記載のコネクタアセンブリ。
【請求項６】
前記第１端子は前記第１コネクタの前記第２側面に配置され、
前記接続バーが前記レバー固定部に収納されて固定されるとき、前記接続バーの前記第１ガイド部及び前記第２ガイド部は、それぞれ前記第１端子から離隔して配置されることを特徴とする請求項３に記載のコネクタアセンブリ。
【請求項７】
前記接続バーの前記第１ガイド部及び前記第２ガイド部は、それぞれ前記中央部に対して平行な直線状部分を有することを特徴とする請求項６に記載のコネクタアセンブリ。
【請求項８】
前記接続バーが前記レバー固定部に収納されて固定されるとき、前記第１コネクタの前記第２側面と前記接続バーの前記第１ガイド部及び前記第２ガイド部の各々の前記直線状部分との距離は、前記第１コネクタの前記第２側面と前記接続バーの前記中央部との距離より短いことを特徴とする請求項７に記載のコネクタアセンブリ。
【請求項９】
複数のゲートライン及び複数のデータラインが具備される表示パネルと、
前記表示パネルに光を供給するバックライトアセンブリと、
前記ゲートラインを駆動する複数のゲート駆動部と、
前記データラインを駆動する複数のデータ駆動部と、
前記ゲート駆動部と前記データ駆動部とに制御信号を供給するタイミングコントローラと、
前記タイミングコントローラを実装する駆動回路基板と、
前記駆動回路基板に配置されて、前記駆動回路基板と電気的に接続され、第１側面に配置される溝を具備する第１コネクタと、
前記溝に挿入され、前記第１コネクタに接続される第２コネクタと、
前記駆動回路基板に外部電源及び外部駆動信号のうち、少なくとも一つを供給するために前記第２コネクタに接続される信号電送部材と、
前記第２コネクタが前記第１コネクタに接続された後、外力によって前記第１コネクタ側に回転し、前記第１コネクタの前記溝に挿入される前記第２コネクタを固定するために前記第１コネクタに固定されるレバーと、
前記第１コネクタ、前記第２コネクタ、及び前記レバーから構成されるコネクタアセンブリと、を含み、
前記第１コネクタは、前記レバーを固定するために前記レバーを収納するレバー固定部をさらに含み、
前記レバー固定部は、前記第１コネクタの前記第１側面に対向する第２側面と、前記第１側面に隣接する第３側面のうち、少なくとも一つの側面から突出する突出部を含み、
前記レバーは、
前記第２コネクタの第１側面において回転可能に接続された第１回転部と、
前記第２コネクタの前記第１側面に対向して配置される第２側面において回転可能に接続された第２回転部と、
前記第１回転部と前記第２回転部とを接続する接続バーとを含み、
前記接続バーは、前記第１回転部に接続された第１ガイド部と、前記第２回転部に接続された第２ガイド部と、前記第１ガイド部と第２ガイド部とを接続する中央部とを備え、前記第１ガイド部及び第２ガイド部は前記中央部に向かって曲がり、
前記接続バーが前記レバー固定部に収納されて固定されるとき、前記接続バーは前記第１コネクタの前記第２側面から離隔して配置されることを特徴とする表示装置。
【請求項１０】
請求項２乃至請求項８のいずれかに記載された前記コネクタアセンブリを含むことを特徴とする請求項９に記載の表示装置。
【発明の詳細な説明】
【技術分野】
【０００１】
本発明は、コネクタアセンブリ及びこれを含む表示装置に関し、より詳細には、薄型のコネクタアセンブリ及びこれを含む表示装置に関する。
【背景技術】
【０００２】
液晶表示装置は、薄く、軽く、消費電力が低いなどの長所のため広く利用されている。液晶表示装置は、画像を表示する液晶表示パネル、液晶表示パネルに光を供給するバックライトアセンブリ、及び液晶表示パネルに駆動信号を供給する駆動回路部から構成される。
【０００３】
駆動回路部は、液晶表示パネルのゲートラインを駆動するゲート駆動部と、液晶表示パネルのデータラインを駆動するデータ駆動部と、ゲート駆動部とデータ駆動部とに制御信号及び電源を供給するプリント回路基板（Ｐｒｉｎｔｅｄ  Ｃｉｒｃｕｉｔ  Ｂｏａｒｄ)とを含む。外部電源及び駆動信号が供給されるコネクタは、プリント回路基板に実装される。より詳細には、コネクタは、駆動回路に外部電源及び駆動信号を供給するために、信号電送フィルムにプリント回路基板を電気的に接続するように、プリント回路基板上で信号電送フィルムに接続される。
【０００４】
しかし、液晶表示装置の厚さを減少させながら、コネクタの厚さも減少させなければならない。その結果、厚さを減少させたコネクタは、液晶表示装置を製造する際に破損しやすく、生産性が低下する。また、コネクタの厚さを減少させることによってコネクタの接続不良が発生することがあり、液晶表示装置に表示される映像の表示品質が低下する。
【先行技術文献】
【特許文献】
【０００５】
【特許文献１】特開２０００−１５００２９号公報
【特許文献２】特開２００４−３３５３６０号公報
【特許文献３】韓国特許公開第２００６−０７８８６９号公報
【発明の概要】
【発明が解決しようとする課題】
【０００６】
本発明は、上述の問題点に鑑みてなされたもので、その目的は、厚さが薄く、結合が容易であるコネクタアセンブリを提供することである。
【０００７】
また、本発明が解決しようとする課題は、厚さが薄く、結合が容易であるコネクタアセンブリを含む表示装置を提供することである。
【課題を解決するための手段】
【０００８】
上述の目的を達成するため、本発明によるコネクタアセンブリは、第１側面に配置された溝を具備する第１コネクタと、溝に挿入されて第１コネクタに接続される第２コネクタと、第２コネクタにおいて回転することができるように結合されるレバーとを含む。レバーは、第２コネクタが第１コネクタに接続された後、外力によって第１コネクタ側に回転し、第１コネクタの溝に挿入された第２コネクタを固定するように第１コネクタに接続される。
【０００９】
第１コネクタは、レバーを固定するためのレバーを収納するレバー固定部をさらに含んでもよい。
【００１０】
レバー固定部は、溝が具備された第１側面に対向する第２側面と、溝が具備された第１側面に隣接した第３側面のうち、少なくとも一つの側面で突出する突出部を含んでもよい。
【００１１】
レバーは、第２コネクタの第１側面に回転することができるように接続された第１回転部と、第２コネクタの第１側面に対向して配置される第２コネクタの第２側面に回転することができるように接続される第２回転部と、第１回転部と第２回転部とを接続する接続バーと、を含んでもよい。
【００１２】
レバー固定部は、溝が具備された第１側面に対向する第２側面から突出する突出部を含み、接続バーは、レバー固定部に固定されてもよい。
【００１３】
第１コネクタは第１端子を含み、第２コネクタは第２端子を含んでもよい。
【００１４】
上述の課題を解決するために、本発明による表示装置は、表示パネルと、バックライトアセンブリと、複数のゲート駆動部と、複数のデータ駆動部と、タイミングコントローラと、駆動回路基板と、第１コネクタと、第２コネクタと、信号電送部材と、レバーと、コネクタアセンブリとを含む。表示パネルは、複数のゲートライン及び複数のデータラインを具備する。バックライトアセンブリは、表示パネルに光を供給する。ゲート駆動部は、ゲートラインを駆動し、データ駆動部は、データラインを駆動する。タイミングコントローラは、ゲート駆動部とデータ駆動部とに制御信号を供給する。駆動回路基板は、タイミングコントローラを実装する。第１コネクタは、駆動回路基板に配置され、駆動回路基板と電気的に接続され、第１側面に配置される溝を具備する。第２コネクタは、溝に挿入され、第１コネクタに接続される。信号電送部材は、駆動回路基板に外部電源及び外部駆動信号のうち、少なくとも一つを供給するために第２コネクタに接続される。レバーは、第２コネクタが第１コネクタに接続された後、外力によって第１コネクタ側に回転し、第１コネクタの溝に挿入される第２コネクタを固定するために第１コネクタに接続される。コネクタアセンブリは、第１コネクタ、第２コネクタ、及びレバーから構成される。
【発明の効果】
【００１５】
上述のコネクタアセンブリは、レバーが第２コネクタに結合され、レバーを利用して第１コネクタと第２コネクタとが結合される。また、レバーが第１コネクタと結合して第１コネクタと第２コネクタとを固定させる。これによって、第１コネクタと第２コネクタの結合が容易で、第２コネクタが第１コネクタから離脱されることを防止することができる。
【００１６】
本発明に係る上述の表示装置は、レバーが第２コネクタに結合されたコネクタアセンブリを含む。これによって、駆動回路基板と信号電送部材との接続が容易になり、組立時間を短縮することができる。
【図面の簡単な説明】
【００１７】
【図１】本発明の一実施形態に係る表示装置を説明するために示した分解斜視図である。
【図２】図１に示したコネクタアセンブリが分離された形態を示した斜視図である。
【図３】図２に示したコネクタアセンブリが結合された形態を示した斜視図である。
【図４Ａ】図３に示したコネクタアセンブリの側面を示した側面図である。
【図４Ｂ】図３に示したコネクタアセンブリの側面を示した側面図である。
【発明を実施するための形態】
【００１８】
以下では、添付された図面を参照してコネクタアセンブリ及びこれを含む表示装置に係る実施形態を詳細に説明する。上述の本発明が解決しようとする課題、課題解決手段、及び効果は、添付された図面に関する実施形態を通じて容易に理解されるはずである。本発明は、ここで説明される実施形態に限らず、多様な形態に応用されて変形されてもよい。以下の実施形態は、本発明によって開示された技術思想をより明確にし、尚、本発明が属する分野で平均な知識を有する当業者に本発明の技術思想が十分に伝えられることができるように提供されるものである。したがって、本発明の範囲が後述される実施形態に限定されることと解釈されてはならない。一方、図面は、明確な説明のために一部が簡略化される、或いは誇張されるように表現されている。図面に表現された同一の参照番号は同一の構成要素を示す。
【００１９】
図１は、本発明の一実施形態に係る表示装置を説明するために示した分解斜視図である。図１では、説明の便宜のために構成要素の一部の切断面を示した。
【００２０】
図１を参照すると、表示装置は、表示パネル１００と、ゲート駆動部２１０と、データ駆動部２２０と、タイミングコントローラ２３０と、駆動回路基板２４０と、コネクタアセンブリ２５０と、バックライトアセンブリ３００と、モールドフレーム４００とを含む。
【００２１】
表示パネル１００は、薄膜トランジスタ基板１１０と、カラーフィルタ基板１２０と、これらの間に介在された液晶１３０とを含む。
【００２２】
薄膜トランジスタ基板１１０は、一方向に延長されて形成されたゲートライン１１１と、ゲートライン１１１と交差するデータライン１１２と、ゲートライン１１１とデータライン１１２とに接続された薄膜トランジスタ１１５と、薄膜トランジスタ１１５に接続された画素電極１１７とを含む。
【００２３】
カラーフィルタ基板１２０は、画素電極１１７に対応して電界を形成する共通電極(図示せず）と、色を表示するためのカラーフィルタ(図示せず）とを含む。
【００２４】
液晶１３０は、誘電率異方性を有し、薄膜トランジスタ基板１１０とカラーフィルタ基板１２０との間に配向される。液晶１３０は、バックライトアセンブリ３００から供給される光の透過率を調節する。
【００２５】
ゲート駆動部２１０は、薄膜トランジスタ基板１１０の一側面にＣＯＧ(Ｃｈｉｐ  Ｏｎ  Ｇｌａｓｓ)方式で配置される。ゲート駆動部２１０は、ゲートライン１１１にゲートオン／オフ信号を供給する。一方、ゲート駆動部２１０は、薄膜トランジスタ基板１１０に薄膜トランジスタ１１５を利用して形成されてもよい。
【００２６】
データ駆動部２２０は、ＴＣＰ(Ｔａｐｅ  Ｃａｒｒｉｅｒ  Ｐａｃｋａｇｅ)方式で信号電送フィルム２２５に実装される。データ駆動部２２０は、信号電送フィルム２２５を通じて薄膜トランジスタ基板１１０と駆動回路基板２４０とに電気的に接続される。データ駆動部２２０は、データライン１１２にデータ信号を供給する。
【００２７】
タイミングコントローラ２３０は、駆動回路基板２４０に実装される。タイミングコントローラ２３０は、ゲート駆動部２１０とデータ駆動部２２０とに制御信号を供給する。また、タイミングコントローラ２３０は、データ駆動部２２０に画像を表示するための画素データ（ｐｉｘｅｌ  ｄａｔａ）を供給する。
【００２８】
駆動回路基板２４０は、複数の信号電送ラインが具備されたプリント回路基板ＰＣＢ（Ｐｒｉｎｔｅｄ  Ｃｉｒｃｕｉｔ  Ｂｏａｒｄ)に形成される。駆動回路基板２４０には、タイミングコントローラ２３０、コネクタアセンブリ２５０、及び各種電子素子が実装される。駆動回路基板２４０は、コネクタアセンブリ２５０を通じて外部からの電源及び様々な信号が供給される。駆動回路基板２４０は、電源及び様々な信号をタイミングコントローラ２３０に供給する。また、駆動回路基板２４０は、信号電送フィルム２２５を通じてゲート駆動部２１０及びデータ駆動部２２０に電源を供給する。
【００２９】
コネクタアセンブリ２５０は、駆動回路基板２４０に実装される。コネクタアセンブリ２５０は、信号電送部材２８０と接続される。これによって、コネクタアセンブリ２５０は、信号電送部材２８０から供給される電源及び駆動信号を駆動回路基板２４０に供給することができる。コネクタアセンブリ２５０は、図２乃至図４Ｂを参照してより詳細に説明する。
【００３０】
バックライトアセンブリ３００は、表示パネル１００の下側に位置して表示パネル１００に光を供給する。このために、バックライトアセンブリ３００は、光源３１０と、光源基板３１５と、導光板３２０と、反射シート３３０と、拡散シート３４０と、プリズムシート３５０と、保護シート３６０とを含む。
【００３１】
光源３１０は、表示パネル１００に供給するための光を生成する。光源３１０は、複数の発光ダイオードＬＥＤ（Ｌｉｇｈｔ  Ｅｍｉｔｔｉｎｇ  Ｄｉｏｄｅ)、またはランプによって形成されてもよい。ここでは、表示装置の厚さを減少させるために発光ダイオードで形成された光源３１０を説明する。光源３１０は、光源基板３１５に実装される。また、光源３１０は、導光板３２０の一側面に位置して導光板３２０に光を放出する。
【００３２】
光源基板３１５は、プリント回路基板ＰＣＢまたはフレキシブルプリント回路基板ＦＰＣＢ（Ｆｌｅｘｉｂｌｅ  Ｐｒｉｎｔｅｄ  Ｃｉｒｃｕｉｔ  Ｂｏａｒｄ）に形成されてもよい。光源基板３１５は、光源３１０に電源を供給する。このために、光源基板３１５は、例えば、光源３１０に電源を供給するためのインバータなどの電源装置と電気的に接続されてもよい。光源基板３１５は、モールドフレーム４００に収納される。
【００３３】
導光板３２０は、側面から供給される光が表示パネル１００に向かうように光の進行方向を変更させる。このために、導光板３２０は、アクリル材質からなり、光の反射のためのドットパターン、またはＶ型パターンを含んでもよい。
【００３４】
反射シート３３０は、導光板３２０下に配置される。反射シート３３０は、導光板３２０の下部に放出される光を表示パネル１００に向けて反射させる。
【００３５】
拡散シート３４０は、導光板３２０の上に配置される。拡散シート３４０は、導光板３２０で放出される光が表示パネル１００に均一に入射されるように拡散させる。
【００３６】
プリズムシート３５０は、拡散シート３４０の上に配置される。プリズムシート３５０は、拡散シート３４０を透過した光が表示パネル１００に対して垂直に入射するように集光させる。
【００３７】
保護シート３６０は、プリズムシート３５０にスクラッチ（ｓｃｒａｔｃｈ）のような損傷が発生しないようにプリズムシート３５０を保護する。
【００３８】
モールドフレーム４００は、プラスチックのような絶縁物質により形成される。モールドフレーム４００は、表示パネル１００と、駆動回路基板２４０と、バックライトアセンブリ３００とを収納して外部の衝撃からこれらを保護する。
【００３９】
以下では、図２乃至図４Ｂを参照してコネクタアセンブリ２５０を詳細に説明する。
【００４０】
図２は、図１に示したコネクタアセンブリが分離された形態を示した斜視図であり、図３は、図２に示したコネクタアセンブリが結合された形態を示した斜視図であり、図４Ａ及び図４Ｂは、図３に示したコネクタアセンブリの側面を示した側面図である。
【００４１】
図２乃至図４Ｂを参照すると、コネクタアセンブリ２５０は、駆動回路基板２４０の上に実装される第１コネクタ２６０と、第１コネクタ２６０と結合される第２コネクタ２７０（図３、図４Ａ及び図４Ｂ参照）と、第２コネクタ２７０に結合されるレバー２７５とを含む。
【００４２】
第１コネクタ２６０は、第１ハウジング２６１と、溝２６３と、第１端子２６５と、レバー固定部２６７とを含む。
【００４３】
第１ハウジング２６１は、駆動回路基板２４０に結合される。第１ハウジング２６１は、長方形の絶縁体に形成される。例えば、第１ハウジング２６１は、プラスチックにより形成され、接着剤を利用して駆動回路基板２４０に結合されてもよい。
【００４４】
溝２６３は、第１ハウジング２６１の第１側面に配置される。第１ハウジング２６１内で、溝２６３の位置は、第２コネクタ２７０が第１コネクタ２６０と結合される際の、第２コネクタ２７０の位置に相当する（図３参照）。
【００４５】
第１端子２６５は、第１側面に対向する第１ハウジング２６１の第２側面に配列された複数のリードからなる。第１端子２６５は、一部が第１ハウジング２６１の内側に位置する。第１端子２６５は、溝２６３によって一部が露出される。第１端子２６５は、駆動回路基板２４０に形成された複数の信号電送ライン２４５と電気的に接続される。
【００４６】
レバー固定部２６７は、第１ハウジング２６１の第３側面、例えば第１ハウジング２６１の第１側面の溝２６３に隣接した側面に配置される。しかし、本発明の一実施形態によるレバー固定部２６７はこれに限定されない。例えば、レバー固定部２６７は、溝２６３に対向する第２側面に配置されてもよい。レバー固定部２６７は、レバー２７５を固定するために第１ハウジング２６１から突出して形成されてもよい。
【００４７】
第２コネクタ２７０は、第２端子２７１と、第２ハウジング２７３とを含む。また、第２コネクタ２７０は、外部から供給される電源及び駆動信号を伝送する信号電送部材２８０と接続される。
【００４８】
第２端子２７１は、複数の導電性ピンが配列されて形成される。第２端子２７１は、溝２６３に挿入されて第１端子２６５と電気的に接続される。第２端子２７１は、複数の信号線が形成された絶縁基板に形成されてもよい。
【００４９】
第２ハウジング２７３は、第２端子２７１の一部を覆って第２端子２７１と結合する。第２ハウジング２７３は、第２端子２７１の一部を囲む絶縁体に形成されてもよい。第２ハウジング２７３は、第２端子２７１を含んで一体的に形成されてもよい。
【００５０】
レバー２７５は、第２ハウジング２７３の第１側面と第２側面とに結合される。具体的には、レバー２７５は、各々回転ができるように第２ハウジング２７３の第１側面及び第２側面に対して結合される回転部２７７と、第１側面に結合される第１回転部２７７と第２側面に結合される第２回転部２７７とを接続する接続バー２７８とで構成される。
【００５１】
ここで、第１及び第２回転部２７７の各々は、第１端子２６５に隣接した第２ハウジング２７３の第１側面及び第２側面に形成されたホール（ｈｏｌｅ）に挿入される。このために、第１及び第２回転部２７７の各々の一端は、第２ハウジング２７３のホールに挿入されるように曲げられる。第１及び第２回転部２７７は、ホールに挿入された一端を軸として、軸を中心に回転させることができる。接続バー２７８は、第２ハウジング２７３の両側面に結合された第１及び第２回転部２７７の一端とは異なる、もう一方の他端を各々接続する。したがって、接続バー２７８は、例えば、取っ手として利用されるように、第１及び第２回転部２７７の他端の間に接続される。
【００５２】
レバー２７５は、第１及び第２回転部２７７と接続バー２７８とが結合して形成されてもよい。また、一つのロッドを第１及び第２回転部２７７と接続バー２７８に区分されるように曲げてレバー２７５を形成してもよい。
【００５３】
レバー２７５は、絶縁物質または導電性物質により形成されてもよい。導電性物質で形成されたレバー２７５には、絶縁のための補助取っ手２９０を結合してもよい。
【００５４】
補助取っ手２９０は、接続バー２７８に結合される。補助取っ手２９０は、絶縁物質により形成される。例えば、補助取っ手２９０は、絶縁フィルムで形成されて接続バー２７８に結合されてもよい。補助取っ手２９０は、レバー２７５が絶縁物質の場合にも結合されてもよい。補助取っ手２９０により、使用者はレバー２７５をより容易に動かすことができるようになる。
【００５５】
第２コネクタ２７０は、第１コネクタ２６０に結合されて電気的に接続される。具体的に、第２コネクタ２７０は、水平に移動させて駆動回路基板２４０に実装された第１コネクタ２６０に結合される。これによって、第２コネクタ２７０は、第１コネクタ２６０と結合して信号電送部材２８０を通じて供給される電源及び駆動信号を第１コネクタ２６０に伝送する。
【００５６】
第１コネクタ２６０と第２コネクタ２７０とが結合した後、レバー２７５は、第１コネクタ２６０側に回転させて第１コネクタ２６０に結合される。これによって、レバー２７５は、第２コネクタ２７０が第１コネクタ２６０から離脱することを防止することができる。
【００５７】
レバー２７５は、第１コネクタ２６０に結合され、レバー固定部２６７によって固定される。
【００５８】
図４Ａ及び図４Ｂに示したレバー２７５は、外力によって第１ハウジング２６１に結合される。レバー２７５は、第２ハウジング２７３に結合された第１及び第２回転部２７７によって第１ハウジング２６１側に回転させることができる。例えば、第１及び第２回転部２７７は、第２ハウジング２７３に結合された部分が回転軸になって動く。接続バー２７８は、外力によって回転してレバー固定部２６７と結合する。この際、レバー固定部２６７は、第１ハウジング２６１が接続バー２７８と接する面に形成されてもよい。これによって、レバー２７５は、第２ハウジング２７３が離脱することを防止することができる。
【００５９】
上述の本発明の一実施形態による表示装置は、第２コネクタに結合されたレバーを具備するコネクタアセンブリを含む。したがって、駆動回路基板を信号電送部材に容易に接続させることができ、表示装置の組立時間が短縮されて表示装置の生産性が向上する。
【符号の説明】
【００６０】
１００      表示パネル
２１０      ゲート駆動部
２２０      データ駆動部
２３０      タイミングコントローラ
２４０      駆動回路基板
２５０      コネクタアセンブリ
２６０      第１コネクタ
２７０      第２コネクタ
２７５      レバー
２８０      信号電送部材
３００      バックライトアセンブリ
４００      モールドフレーム
【図１】
0005539664.tif 000002
【図２】
0005539664.tif 000003
【図３】
0005539664.tif 000004
【図４Ａ】
0005539664.tif 000005
【図４Ｂ】
0005539664.tif 000006